(57)【要約】  【課題】  非常に簡単で、作業効率の高い収納テープ同士の連結方法を提供すること。  【解決手段】  継ぎ足される収納テープ１を収納部２と収納部２との中間位置で切断し、継ぎ足す新たな収納テープ１を同じく収納部２と収納部２との中間位置で切断すると共に始端の収納部２上方のカバーテープ４を切除し且つ並設された収納部２を挟んで対向する両端部３Ｂを始端部から切除し、始端の収納部２が電子部品を収納しないようにされた継ぎ足す新たな収納テープ１の始端の当該収納部２に継ぎ足される収納テープ１終端部の電子部品６が収納されている収納部２を両収納テープ１の前記両端部３Ａ、３Ｂが重合しないように嵌合させ、両収納テープ１同士を連結シート１０を接着して連結する。この連結シート１０による連結は、継ぎ足される収納テープ１のカバーテープ４上に継ぎ足す新たな収納テープ１のカバーテープ４を重ねた状態で行なう。  【選択図】  図４
2006143253.tif 000002
【特許請求の範囲】
【請求項１】
キャリアテープに複数並設された収納部に電子部品を収納した状態で、カバーテープで前記収納部の開口部を被覆した収納テープ同士の連結方法において、一方の収納テープ端部の電子部品が収納されていない収納部と他方の収納テープ収納部とを嵌合させ、両収納テープ同士を連結シートを接着して連結することを特徴とする収納テープ同士の連結方法。
【請求項２】
キャリアテープに複数並設された収納部に電子部品を収納した状態で、カバーテープで前記収納部の開口部を被覆した収納テープ同士の連結方法において、一方の収納テープ端部の電子部品が収納されていない収納部に他方の収納テープ端部の電子部品が収納されている収納部を嵌合させ、両収納テープ同士を連結シートを接着して連結することを特徴とする収納テープ同士の連結方法。
【請求項３】
キャリアテープに複数並設された収納部に電子部品を収納した状態で、カバーテープで前記収納部の開口部を被覆した収納テープ同士の連結方法において、継ぎ足す新たな収納テープ端部の電子部品が収納されていない収納部に継ぎ足される収納テープ端部の電子部品が収納されている収納部を嵌合させ、両収納テープ同士を連結シートを接着して連結することを特徴とする収納テープ同士の連結方法。
【請求項４】
キャリアテープに複数並設された収納部に電子部品を収納した状態で、カバーテープで前記収納部の開口部を被覆した収納テープ同士の連結方法において、継ぎ足される収納テープを前記収納部と収納部との中間位置で切断し、継ぎ足す新たな収納テープを同じく前記収納部と収納部との中間位置で切断すると共に始端の収納部上方のカバーテープを切除し、始端の収納部が電子部品を収納しないようにされた継ぎ足す新たな収納テープの始端の当該収納部に継ぎ足される収納テープ終端部の電子部品が収納されている収納部を嵌合させ、両収納テープ同士を連結シートを接着して連結することを特徴とする収納テープ同士の連結方法。
【請求項５】
キャリアテープに複数並設された収納部に電子部品を収納した状態で、カバーテープで前記収納部の開口部を被覆した収納テープ同士の連結方法において、継ぎ足される収納テープを前記収納部と収納部との中間位置で切断し、継ぎ足す新たな収納テープを同じく前記収納部と収納部との中間位置で切断すると共に始端の収納部上方のカバーテープを切除し且つ並設された収納部を挟んで対向する両端部を始端部から切除し、始端の収納部が電子部品を収納しないようにされた継ぎ足す新たな収納テープの始端の当該収納部に継ぎ足される収納テープ終端部の電子部品が収納されている収納部を両収納テープの前記両端部が重合しないように嵌合させ、両収納テープ同士を連結シートを接着して連結することを特徴とする収納テープ同士の連結方法。
【請求項６】
送り孔が形成されたキャリアテープに複数並設された収納部に電子部品を収納した状態で、カバーテープで前記収納部の開口部を被覆した収納テープ同士の連結方法において、継ぎ足される収納テープを前記収納部と収納部との中間位置で切断し、継ぎ足す新たな収納テープを同じく前記収納部と収納部との中間位置で切断すると共に始端の収納部上方のカバーテープを切除し且つ並設された収納部を挟んで対向する前記送り孔が形成された両端部を始端部から切除し、始端の収納部が電子部品を収納しないようにされた継ぎ足す新たな収納テープの始端の当該収納部に継ぎ足される収納テープ終端部の電子部品が収納されている収納部を両収納テープの前記両端部が重合しないように嵌合させ、両収納テープ同士を連結シートを接着して連結することを特徴とする収納テープ同士の連結方法。
【請求項７】
前記両収納テープ同士の連結シートによる連結は、継ぎ足される収納テープのカバーテープ上に継ぎ足す新たな収納テープのカバーテープを重ねた状態で行なわれることを特徴とする請求項３乃至６のいずれかに記載の収納テープ同士の連結方法。
【発明の詳細な説明】
【技術分野】
【０００１】
本発明は、キャリアテープの収納部に電子部品を収納した状態で、カバーテープで前記収納部の開口部を被覆した収納テープ同士の連結方法に関する。
【背景技術】
【０００２】
この種の収納テープ同士の連結方法は、例えば特許文献１などに開示されているが、連結作業を簡単にするための連結部材及び連結方法が提案されている。
【特許文献１】特開平５−３３８６１８号公報
【発明の開示】
【発明が解決しようとする課題】
【０００３】
しかしながら、まだ連結方法が複雑であり、より簡単な連結方法が望まれる。
【０００４】
そこで本発明は、非常に簡単で、作業効率の高い収納テープ同士の連結方法を提供することを目的とする。
【課題を解決するための手段】
【０００５】
このため第１の発明は、キャリアテープに複数並設された収納部に電子部品を収納した状態で、カバーテープで前記収納部の開口部を被覆した収納テープ同士の連結方法において、一方の収納テープ端部の電子部品が収納されていない収納部と他方の収納テープ収納部とを嵌合させ、両収納テープ同士を連結シートを接着して連結することを特徴とする。
【０００６】
第２の発明は、キャリアテープに複数並設された収納部に電子部品を収納した状態で、カバーテープで前記収納部の開口部を被覆した収納テープ同士の連結方法において、一方の収納テープ端部の電子部品が収納されていない収納部に他方の収納テープ端部の電子部品が収納されている収納部を嵌合させ、両収納テープ同士を連結シートを接着して連結することを特徴とする。
【０００７】
第３の発明は、キャリアテープに複数並設された収納部に電子部品を収納した状態で、カバーテープで前記収納部の開口部を被覆した収納テープ同士の連結方法において、継ぎ足す新たな収納テープ端部の電子部品が収納されていない収納部に継ぎ足される収納テープ端部の電子部品が収納されている収納部を嵌合させ、両収納テープ同士を連結シートを接着して連結することを特徴とする。
【０００８】
第４の発明は、キャリアテープに複数並設された収納部に電子部品を収納した状態で、カバーテープで前記収納部の開口部を被覆した収納テープ同士の連結方法において、継ぎ足される収納テープを前記収納部と収納部との中間位置で切断し、継ぎ足す新たな収納テープを同じく前記収納部と収納部との中間位置で切断すると共に始端の収納部上方のカバーテープを切除し、始端の収納部が電子部品を収納しないようにされた継ぎ足す新たな収納テープの始端の当該収納部に継ぎ足される収納テープ終端部の電子部品が収納されている収納部を嵌合させ、両収納テープ同士を連結シートを接着して連結することを特徴とする。
【０００９】
第５の発明は、キャリアテープに複数並設された収納部に電子部品を収納した状態で、カバーテープで前記収納部の開口部を被覆した収納テープ同士の連結方法において、継ぎ足される収納テープを前記収納部と収納部との中間位置で切断し、継ぎ足す新たな収納テープを同じく前記収納部と収納部との中間位置で切断すると共に始端の収納部上方のカバーテープを切除し且つ並設された収納部を挟んで対向する両端部を始端部から切除し、始端の収納部が電子部品を収納しないようにされた継ぎ足す新たな収納テープの始端の当該収納部に継ぎ足される収納テープ終端部の電子部品が収納されている収納部を両収納テープの前記両端部が重合しないように嵌合させ、両収納テープ同士を連結シートを接着して連結することを特徴とする。
【００１０】
第６の発明は、送り孔が形成されたキャリアテープに複数並設された収納部に電子部品を収納した状態で、カバーテープで前記収納部の開口部を被覆した収納テープ同士の連結方法において、継ぎ足される収納テープを前記収納部と収納部との中間位置で切断し、継ぎ足す新たな収納テープを同じく前記収納部と収納部との中間位置で切断すると共に始端の収納部上方のカバーテープを切除し且つ並設された収納部を挟んで対向する前記送り孔が形成された両端部を始端部から切除し、始端の収納部が電子部品を収納しないようにされた継ぎ足す新たな収納テープの始端の当該収納部に継ぎ足される収納テープ終端部の電子部品が収納されている収納部を両収納テープの前記両端部が重合しないように嵌合させ、両収納テープ同士を連結シートを接着して連結することを特徴とする。
【００１１】
第７の発明は、第３乃至第６の発明において、前記両収納テープ同士の連結シートによる連結は、継ぎ足される収納テープのカバーテープ上に継ぎ足す新たな収納テープのカバーテープを重ねた状態で行なわれることを特徴とする。
【発明の効果】
【００１２】
本発明は、非常に簡単で、作業効率の高い収納テープ同士の連結方法を提供することができる。
【発明を実施するための最良の形態】
【００１３】
以下、添付図面を参照して、プリント基板上に電子部品を装着する電子部品装着装置に着脱自在に組み込まれる部品供給ユニット（図示せず）に装填される収納テープ１の連結方法について、説明する。
【００１４】
先ず、収納テープ１は、所定の等間隔ごとに電子部品６を収納する収納部２が形成されたキャリアテープ３と、前記収納部２の上面開口を覆うカバーテープ４とから構成される。そして、部品供給ユニットの部品送り機構のスプロケットの歯がキャリアテープ３に並設された複数の収納部２を挟んで対向する両端部に形成された送り孔５の一方に嵌合して、前記スプロケットを間欠回転させつつ、収納部２内の電子部品６を部品ピックアップ位置まで送り、カバーテープ４が剥離された状態のキャリアテープ３から電子部品６を電子部品装着装置の吸着ノズルがピックアップし、ピックアップされた電子部品６は、次々にプリント基板上に装着されることとなるが、ここでは省略する。なお、キャリアテープ３に並設された複数の収納部２を挟んで対向する両端部に送り孔５を形成するが、いずれか一方に形成してもよい。
【００１５】
次に、例えば部品供給ユニットに搭載された収納テープ１内の電子部品６が残り少なくなって、当該収納テープ１に新しい収納テープ１を連結して継ぎ足し、部品供給ユニットに装填する場合の動作について説明する。初めに、当該部品供給ユニット１を電子部品装着装置のユニットベースから外して作業台上に移す。
【００１６】
そして、部品供給ユニットのユニットフレームから収納テープリールを取外して、この収納テープリールに巻かれてあった継ぎ足される収納テープ１（便宜上「古い収納テープ１」という。）のほぼ終端近くにおいて、その終端部を図１の左上方部に示すように、切断処理する。即ち、古い収納テープ１を収納部２と収納部２との中間位置において、送り方向と直交する方向に切断する。即ち、キャリアテープ３とカバーテープ４とを同じ位置（収納部２と収納部２との中間位置）で送り方向と直交する方向に切断する。
【００１７】
一方、これとは別に、同じく収納テープリールに巻かれた継ぎ足す新たな収納テープ１の始端部において、始端の収納部２とその次の収納部２との中間位置において、キャリアテープ３とカバーテープ４とを送り方向と直交する方向に切断する。
【００１８】
次いで、始端の収納部２を覆っているカバーテープ４を剥離すると共に、始端部から始端の収納部２を越えた位置でこのカバーテープ４を送り方向と直交する方向に切断する。
【００１９】
更に、以上のように処理された新しい収納テープ１のキャリアテープ３の始端部において、始端の収納部２とその次の収納部２とのほぼ中間位置までの長さ分、即ち、カバーテープ４の切断位置より更に前記送り孔５の２個分程度の長さ分だけ長く、前記両端部をキャリアテープ３の始端部から切除する。即ち、後述するように、始端の収納部２が電子部品を収納しないようにされた継ぎ足す新たな収納テープ１の始端の当該収納部２に継ぎ足される収納テープ１終端部の電子部品６が収納されている収納部２を両収納テープ１の前記両端部が重合しないように嵌合させるので、この重合しないように前記送り孔５の２個分程度の長さ分だけ、前記両端部をキャリアテープ３の始端部から切除する。このとき、切除するのは、継ぎ足す新しい収納テープ１のキャリアテープ３のみで、カバーテープ４は始端の収納部２とその次の収納部２との中間位置まで剥離して切除しない。
【００２０】
次に、古い収納テープ１及び新しい収納テープ１をそれぞれの端部を前述したように処理した状態で、部品供給ユニットに既に装填されていた古い収納テープ１と新しい収納テープ１との連結動作（スプライシング）について説明する。
【００２１】
先ず、図２乃至図４に示すように、電子部品６が収納されていない新しい収納テープ１の始端の収納部２内に古い収納テープ１の終端の収納部２を上方から嵌合収納させる。即ち、始端の収納部２が電子部品を収納しないようにされた継ぎ足す新たな収納テープ１の始端の当該収納部２に継ぎ足される収納テープ１終端部の電子部品６が収納されている収納部２を両収納テープ１の前記両端部が重合しないように嵌合させるので、電子部品が連続して収納部２に収納され、連続して電子部品を供給することができる。このとき、図３に示すように、古い収納テープ１の送り孔５が形成された並設せる収納部２を挟んで対向する両端部の耳部分３Ａの後端面と新しい収納テープ１の送り孔５が形成された並設せる収納部２を挟んで対向する両端部の耳部分３Ｂの前端面とが接するように、両端部の耳部分３Ａ及び３Ｂが重合しないように嵌合させると共に、古い収納テープ１のカバーテープ４上に新しい収納テープ１のカバーテープ４を上から重合させる（図４参照）。
【００２２】
次に、新しい収納テープ１と古い収納テープ１とを連結固定する連結シートの構造は問わないが、図５に示すように、古い収納テープ１の前記両端部の耳部分３Ａと新しい収納テープ１の前記両端部の耳部分３Ｂとを連結シート１０により連結する。即ち、裏面に接着剤が塗布された連結シート１０を折り返して、これら耳部分３Ａ及び３Ｂを挟むように、新しい収納テープ１と古い収納テープ１とを連結固定する。
【００２３】
なお、この連結シート１０は、耳部分３Ａ、３Ｂの裏面の縁にて送り孔５を避けて貼られ、即ち耳部分３Ａ、３Ｂの表面部分は連結シート１０を貼付するが裏面では送り穴５を塞がないようにし、部品供給ユニットの部品送り機構のスプロケットの歯が送り孔５に嵌合することを妨げないものである。
【００２４】
このようにして、連結シート１０により新たな収納テープ１と古い収納テープ１とが確実に連結され、新たな収納テープ１が巻かれた収納テープリールが搭載された当該部品供給ユニット１を電子部品装着装置のユニットベースに取付け固定し、電子部品装着装置の部品装着に係る運転に備える。
【００２５】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２６】
【図１】古い収納テープと新しい収納テープの連結前の斜視図である。
【図２】古い収納テープの終端の収納部内に新しい収納テープの始端の収納部を嵌合させた状態を示す斜視図である。
【図３】図２の円Ａの拡大図である。
【図４】古い収納テープの終端の収納部内に新しい収納テープの始端の収納部を嵌合させた状態を示す縦断面図である。
【図５】古い収納テープと新しい収納テープとの連結した後の斜視図である。
【符号の説明】
【００２７】
１        収納テープ
２        収納部
３        キャリアテープ
４        カバーテープ
６        電子部品
１０      連結シート
【図１】
2006143253.tif 000003
【図２】
2006143253.tif 000004
【図３】
2006143253.tif 000005
【図４】
2006143253.tif 000006
【図５】
2006143253.tif 000007